(57)【要約】  本発明は、リバーシブルバックパックに関するものであり、それは、少なくとも１つの壁と、その壁に取り付けられたバックパック１０を持ち運ぶための少なくとも２つのショルダーストラップ４３と、を備えている。壁は、両側及び上部に、上記ショルダーストラップ４３の第１端部５１に取り付けられた対応する第１フック手段６１に、二者択一にフックされるようになっている、第１及び第２フック要素３１ａを備えており、且つ、両側及び下部に、上記ショルダーストラップ４３の第２端部５３に取り付けられた、対応する第２フック手段６２に、二者択一的にフックされるようになっている、第３及び第４フック手段３３ａ、３３ｂを、備えている。また、本発明は、バックパック用の１組のショルダーストラップと、バックパック用のリバーシブル本体１２と、に関するものである。
2010528755.tif 000002
【特許請求の範囲】
【請求項１】
少なくとも１つの壁（２１）を有し、外面（２１ａ）及び内面（２１ｂ）を備えた、本体（１２）と、
バックパック（１０）の本体を持ち運ぶための、少なくとも２本のショルダーストラップ（４３）と、
を備えた、リバーシブルバックパックであって、
上記壁（２１）が、第１及び第２フック要素（３１ａ、３１ｂ、３１ｃ）と、第３及び第４フック要素（３３ａ、３３ｂ）と、を備えており、
第１及び第２フック要素（３１ａ、３１ｂ、３１ｃ）は、上記外面（２１ａ）及び上記内面（２１ｂ）の、上記壁（２１）の上部に、それぞれ設けられており、上記ショルダーストラップ（４３）の第１端部（５１）に結合された、対応する第１フック手段（６１、６１ａ）に、二者択一的にフックされるようになっており、
第３及び第４フック要素（３３ａ、３３ｂ）は、上記外面（２１ａ）及び上記内面（２１ｂ）の、上記壁（２１）の下部に、それぞれ設けられており、上記ショルダーストラップ（４３）の第２端部（５３）に結合された、対応する第２フック手段（６３）に、二者択一的にフックされるようになっている、
ことを特徴とするリバーシブルバックパック。
【請求項２】
上記第１フック手段は、上記ショルダーストラップ（４３）の上記第１端部（５１）に取り付けられた、少なくとも１つのジッパー（６１ａ）を、備えている、
請求項１に記載のバックパック。
【請求項３】
上記第１フック手段は、上記ショルダーストラップの上記第１端部（５１）に取り付けられた、少なくとも１組のバックル（６３）を備えている、
請求項１又は２に記載のバックパック。
【請求項４】
上記壁が、上記壁（２１）の上記外面（２１ａ）上の第１連結手段（１５ａ）と、上記壁（２１）の上記内面（２１ｂ）上の第２連結手段（１５ｂ）と、を備えており、
上記バックパックは、後本体（４１）を備えており、後本体（４１）は、上記壁（２１）の後面として機能するようになっており、且つ、上記壁（２１）の上記第１又は第２連結手段（１５ａ、１５ｂ）に対して、取り外し可能な方法で、連結できる、対応する連結手段（４５１、４５２）を、有しており、
上記ショルダーストラップ（４３）は、上記後本体（４１）に取り付けられている、
上記請求項のいずれか１つに記載のバックパック。
【請求項５】
上記連結手段（１５ａ、１５ｂ、４５１、４５２）が、ジッパー構成要素及びベルクロ構成要素からなるグループから選択された構成要素を、備えている、
請求項４に記載のバックパック。
【請求項６】
上記第１、第２、第３、又は第４フック要素（３１ａ、３１ｂ、３３ａ、３３ｂ）、及び、上記第１又は第２フック手段（６１、６３）が、ヒンジ、バックル、フック、及びロッキングリング、からなるグループから選択された構成要素を、備えている、
請求項１〜５の内のいずれか１つに記載のバックパック。
【請求項７】
上記請求項のいずれか１つに記載のリバーシブルバックパック（１０）のための本体であって、
上記本体は、少なくとも１つの壁（２１）を有しており、且つ、外面（２１ａ）及び内面（２１ｂ）を備えており、
上記壁（２１）が、第１及び第２フック要素（３１ａ、３１ｂ、３１ｃ）を、上記外面（２１ａ）及び上記内面（２１ｂ）の、上記壁（２１）の上部に、それぞれ備えており、且つ、第３及び第４フック要素（３３ａ、３３ｂ）を、上記外面（２１ａ）及び上記内面（２１ｂ）の、上記壁（２１）の下部に、それぞれ備えている、
ことを特徴とするリバーシブル本体。
【請求項８】
上記第１、第２、第３、又は第４フック手段（３１ａ、３１ｂ、３１ｃ、３３ａ、３３ｂ）が、ヒンジ、バックル、カラビナ、フック、及びロッキングリング、からなるグループから選択された構成要素を備えている、
請求項７に記載のリバーシブル本体。
【発明の詳細な説明】
【技術分野】
【０００１】
本発明は、リバーシブルバックパックと、リバーシブルバックパック用のショルダーストラップと、バックパック用のリバーシブル本体と、に関するものである。特に、本発明は、２本のショルダーストラップを有するリバーシブルバックパックに関するものである。
【背景技術】
【０００２】
２本又は４本のショルダーストラップを備えたリバーシブルバックパックは、従来から知られている。特に、２本のショルダーストラップを備えたリバーシブルバックパックは、米国特許第５，３６１，９５１号に記載されているように、公知である。このバックパックは、コンパートメントを備えており、それは、私物を収容したり運んだりするためのものであり、また、後壁と１組のショルダーストラップとでできている。そのショルダーストラップは、上端及び下端にて後壁に取り付けられている。
【０００３】
公知のバックパックは、下部又は腰部と、１組の第１フック要素と、１組の第２フック要素と、を備えている。第１フック要素は、コンパートメントの外面に配置されたショルダーストラップの下端に用いられ、第２フック要素は、コンパートメントの内面に配置されたショルダーストラップの下端に用いられる。公知のバックパックの後壁は、ショルダーストラップの上端に近い上部に、１組の開口を、備えている。
【０００４】
バックパックのリバーシブル性は、ショルダーストラップの下端を１組の第１フック要素から取り外すことによって、及び、ショルダーストラップを２つの開口に通すことによって、及び、ショルダーストラップの下端を１組の第２フック要素に接続することによって、得られる。
【先行技術文献】
【特許文献】
【０００５】
【特許文献１】米国特許第５，３６１，９５１号
【発明の概要】
【発明が解決しようとする課題】
【０００６】
公知の解決手段は、バックパックのコンパートメント又はバッグ、特にその上部に、開口の存在を必要とする、という技術的課題を、全体的に示している。これらの開口は、湿気、雨、雪、又はその他の望まない要素が、コンパートメント内部に浸透し、結果として、その内容物に損傷を与えてしまうのを、可能とする。しかも、これらの開口は、潜在的な泥棒達に、コンパートメントの内容物を手に入れようとする動機を、簡単に与えてしまう。
【０００７】
公知のバックパックの更なる問題は、後壁が、リバーシブルポケットの一部であり、それ故に、バックパックを初めの基本形態からリバースされた形態へ変形させるための操作を受けるので、やがては信頼できなくなることである。
【０００８】
最後に、出願人は、２本のショルダーストラップを備えたリバーシブルバックパックの技術分野においては、コンパートメント又はバッグの内容物を、外的要素又は泥棒から上手く保護すること、に関する問題が、解決されないままであることに、気づいた。
【課題を解決するための手段】
【０００９】
本発明の範囲は、公知技術の上述した問題を解決するリバーシブルバックパックである。
【００１０】
請求の範囲に記載のリバーシブルバックパックは、この範囲を実現している。
【００１１】
また、本発明は、リバーシブルバックパック用の１組のショルダーストラップと、バックパック用のリバーシブル本体と、に関するものである。
【００１２】
添付の請求の範囲は、本発明の新規性に関する技術的示唆の不可欠な部分を構成している。
【００１３】
好ましい実施形態によれば、新規なリバーシブルバックパックは、少なくとも２本のショルダーストラップと、リバーシブル本体と、を備えている。ストラップは、それらの端部への連結手段を有している。リバーシブル本体は、両側に、及び、上位置及び下位置に、対応する１組のフック手段を、有しており、バックパックの第１又は第２実施形態を達成するために、上記連結手段によって、二者択一的に連結されることが、可能である。
【００１４】
本発明の更なる特徴によれば、バックパックの本体の面は、壁の両面に、取り外し可能な連結手段を備えており、使用時の形態に依存して、ショルダーストラップに取り付けられた、対応する連結手段に、二者択一的に連結されるようになっている。
【００１５】
本発明の別の特徴によれば、ショルダーストラップは、ショルダーストラップに連結された後面本体を備えた、後面に、連結されている。
【図面の簡単な説明】
【００１６】
【図１】本発明の第１実施形態のバックパックの背面図である。
【図２】図１に示されたバックパックの本体の正面図である。
【図３】本発明の第１実施形態のバックパックの後面を示す図である。
【図４】本発明の第２実施形態のリバーシブルバックパックを示す図である。
【発明を実施するための形態】
【００１７】
本発明のこの特徴及びその他の特徴は、添付図面の記載と合わせて、好ましい実施形態の以下の記載から明らかである。好ましい実施形態は、実施例として記載されているが、限定されるものではない。図面においては、同じ又は類似の符号を付している要素は、同じ又は類似の作用及び構成を有する要素を、表している。
【００１８】
図１を参照すると、本発明の第１実施形態のリバーシブルタイプのバックパック１０（バックパック）は、第１及び第２連結要素又は連結手段１５ａ、１５ｂ（図２）を有する本体１２と、１組のショルダーストラップ４３（図１、図２）と、使用されるときに、第１又は第２連結要素１５ａ、１５ｂにそれぞれ二者択一的に連結されるよう構成された、後面１４と、を備えている。
【００１９】
好ましい実施形態のバックパックの本体１２は、リバーシブル壁２１、２２、２３を有しており、本体がそれらの壁の第１面を示している、第１実施形態又は優先的実施形態と、本体がそれらの壁の第２面又は反対面を示している、第２実施形態又はリバース形態と、を呈するようになっている。
【００２０】
両実施形態におけるリバーシブル本体１２は、運ばれる内容物をその中に入れるバッグの形状を呈することができ、第１実施形態における符号２０で示されたバッグは、例えば、既知の種類のアクセスジッパー３０（ジッパー）を通して、アクセス可能である。そのジッパーは、バックパック１０を、第１形態から第２形態へ変形させるために、十分に開くことを可能とするようになっている。好ましい実施形態では、第１壁２１は、バッグの後壁（back wall）となるようになっており、第２壁２２は、バッグの前壁となるようになっており、第３壁２３は、既知の縫い合わせを使用することによって、第１壁及び第２壁２１、２２、にそれぞれ連結された両面を有しており、第１壁２１（後壁）を第２壁２２（前壁）に連結して、バックパック１０のバッグを形作るようになっている。
【００２１】
更なる実施形態では、前壁２２は、第１ジッパー３５ａ又は第２ジッパー３５ｂを通して、アクセス可能であり、例えば、基本形態又はリバースされた形態のような、本体１２の形態に依存して、バックパック１０の前ポケット２５に順になるように、構成されている。同様に、側壁は、横ポケットを作るように、構成される。
【００２２】
壁は、壁の両面に、異なる色やパターンの、既知の材料で、好ましくは作られる。
【００２３】
本体１２の後壁２１は、第１面又は外面２１ａに、後面（back side）への第１連結要素１５ａを、備えており、且つ、内面２１ｂに、好ましくは第１連結要素１５ａに対応する、後面への第２連結要素１５ｂを、備えている。第１、第２連結要素１５ａ、１５ｂは、それぞれ、お互いから所定距離に配置された、１組のジッパーを用いて、好ましくは作られている。後壁２１は、好ましくは、１組の第１フック要素３１ａを備えており、そのフック要素は、例えば、後壁２１と横壁２３との間の結合部分に、及び、外面２１に対応して、及び、バックパック１０の上部に、配置されている。後壁は、１組の第２フック要素３１ｂを備えており、そのフック要素３１ｂは、好ましくは、１組の第１外側フック要素３１ａに対応してはいるが、本体１２の内部に配置されている。
【００２４】
後壁２１は、１組の第３フック要素３３ａと、１組の第４フック要素３３ｂと、を更に備えている。フック要素３３ａは、例えば、後壁２１ａと横壁２３ａとの間の結合部分に、且つ、外面２１ａに対応して、且つ、バックパック１０の下部に、配置されている。第４フック要素３３ｂは、好ましくは、１組の第３フック要素３３ａに対応してはいるが、本体１２の内部に配置されている。
【００２５】
好ましくは、これらのフック要素３１ａ、３１ｂ、３３ａ、３３ｂは、同等な１組のバックル、リング、カラビナ等で、作られている。
【００２６】
好ましい実施形態における後面１４（図３）は、１組のショルダーストラップ４３に連結された、後本体４１を、備えている。後本体４１は、好ましくは、例えば２つのフレア状の外側の横エッジ４５と、上エッジ又はショルダーエッジ４７と、下エッジ又は腰部エッジ４８と、を有している。
【００２７】
後本体４１の横エッジ４５は、それぞれ連結要素又は連結手段４５１、４５２を備えており、それらは、本体の形態に依存して、バックパック１０の本体１２の第１又は第２連結要素（１組の第１又は第２ジッパー）１５ａ、１５ｂ（図１、図２、図３）に対して、二者択一的に連結されるように構成されている。
【００２８】
好ましい実施形態では、１組のショルダーストラップ４３は、例えば既知の種類のステッチを用いることによって、ショルダーエッジ４７を介して、後本体４１に連結されており、また、バックパック用の手提げ４９を作るようになっている。１組のショルダーストラップは、その第１端部に、１組のベルト５１と、既知の種類のバックルのような、１組の第１フック要素又はフック手段６１と、を備えている。１組の第１フック要素（１組のバックル）６１は、本体の形態に依存して、バックパック１０の本体の１組の第１又は第２フック要素３１ａ、３１ｂに、二者択一的に連結されるようになっている。
【００２９】
１組のショルダーストラップ４３は、また、１組の第２ベルト５３と、１組のショルダーストラップ４３の第２端部に連結された、既知の種類のカラビナのような、１組の第２フック要素又はフック手段６３と、を備えている。
【００３０】
１組の第２フック要素６３（１組のカラビナ）は、本体の形態に依存して、バックパック１０の本体の１組の第３又は第４フック要素３３ａ、３３ｂに、二者択一的に連結されるようになっている。
【００３１】
リバーシブルバックパック１０の作動について、以下に説明する。
例えば図１に示されている第１形態を参照すると、バックパック１０をリバースする又は裏返す、という使用者のニーズによれば、使用者は、例えば、以下のステップを実行できる。
・連結されている場合には、１組のカラビナ６３を、１組の第３フック要素３３ａから外す。
・連結されている場合には、１組のバックル６１を、バックパックの本体１２の１組の第１フック要素３１ａから外す。
・ジッパー４５１、４５２を、それぞれ後壁２１の１組の第１ジッパー１５ａから外すことによって、後面１４、特に本体４１を、バックパックの本体１２から、外す。
・ジッパー３０を用いることによって、ポケット２０へのアクセスを開く。
・バックパック１０の本体１２を、ポケット２０の開口を通してリバースする。
・ジッパー４５１、４５２を、後壁２１の１組の第２ジッパー１５ｂへ連結することによって、後面１４をバックパックの本体１２に連結する。
・最後に、１組のバックル６１を、１組の第２フック要素３１ｂに、留める。
・最後に、１組のカラビナ６３を、１組の第４フック要素３３ｂに、留める。
【００３２】
これらのステップの終わりに、バックパック１０は、リバースされた形態に構成される。明らかに、一連の外すステップや連結するステップは、最終結果を変えることなく、異なる順序で、実行できる。
【００３３】
本発明のバックパックは、ジッパー、バックル、カラビナ、ベルト等の、構成要素を参照して、述べられている。この分野の技術者によって容易に理解されるように、これらの構成要素は、明細書や請求の範囲に記載されているような本発明の本質から逸脱することなく、同等の機能を有する他の構成要素に置き換えることができる。例えば、ジッパーは、一般的には、ベルクロ構成要素に交換でき、バックルは、カラビナ、フック、又はリングに交換でき、カラビナは、バックル又はフック等に交換できる。
【００３４】
バックパック１０の本体１２は、３つのタイプの壁、例えば、後壁、横壁、及び前壁によって、作られていると述べてきた。この分野の技術者によって容易に理解されるように、更なる実施形態では、壁は、異なる数でもよく、異なる種類でもよい。例えば、横壁は、ベース壁と、見えなくなる２つの横壁と、を備えることができ、前壁が後壁に連結されるようにする。更なる実施形態では、ただ１つの壁が、存在しており、適当に形作られて、バックパックポケットを作るように構成できる。
【００３５】
更なる実施形態では、ショルダーストラップは、この分野の技術者によって容易に理解されるように、後本体の存在、ひいてはバックパックの後面の存在、を必要としないように、構成できる。その実施形態は、図４に実施例として示されている。図４では、後壁２１は、両側に及び後壁の上側に、横ジッパーのような、要素又はフック手段３１ｃを、備えており、また、１組のショルダーストラップ４３は、後壁のフック手段３１ｃに連結されるようになっている、横ジッパー又は１組のジッパーのような、フック要素６１ａを、一端に、備えている。
【００３６】
この実施形態では、１組のショルダーストラップ４３が、バックパックを持ち上げるときのロバスト性のために、バックル６１を第１端部に備えていること、及び、バックパック１０の後壁２１が、既に述べたように、上述の作動をするために、２組のフック手段３１ａ、３１ｂをそれぞれ備えていること、が更なる変形例として、挙げられる。
【００３７】
この分野の技術者によって容易に理解されるように、第２実施形態は、上述のように、バックパックのリバーシブル性の利点を有してはいるが、後面の存在を必要とせず、また、バックパックの後壁に対する対応した連結要素の存在も必要としない。バックパックは、上述したように、単純使用のものであり、バックパックのバッグへの容易なアクセスを可能とする開口を持たず、少なくとも実施形態の１つにおいては、バックパックの本体から分離可能な後面を示しながら、特に強い。
【００３８】
更に、第１実施形態では、後面は、リバーシブルではない種類のものにでき、バックパック１０の後壁２１に向けて、常に同じ面を見せるように、設定できる。この手段は、品質特性及びバックパックの本体を作るのに使用される材料構造から、独立して、後面の構造を最適化することを可能にする。
【００３９】
同じことが、後面は存在しないがショルダーストラップのみ存在する場合に、第２実施形態にも適用できる。寸法、形、材料、構成要素だけではなく、図示された構成の詳細や、作動方法に関して、特許請求の範囲によって確定されたような本発明の精神から逸脱することなく、上述の記載に対しては、明確な変形や変更が可能である。
【図１】
2010528755.tif 000003
【図２】
2010528755.tif 000004
【図３】
2010528755.tif 000005
【図４】
2010528755.tif 000006
【国際調査報告】
2010528755.tif 000007
2010528755.tif 000008
2010528755.tif 000009